(57)【要約】【課題】コンデンサ負荷を平衡させるためのシステム、方法、および装置を提供すること。【解決手段】システムは、複数のコンデンサ（１０２〜１２４）と、複数のコンデンサ（１０２〜１２４）の各々を少なくとも１つの電源（２６４）に接続する複数のそれぞれの正の接続および複数のそれぞれの負の接続とを含み、複数の正の接続の各々はほぼ等しい長さを有し、複数の負の接続の各々はほぼ等しい長さを有する。複数のコンデンサ（１０２〜１２４）は、直流リンクコンデンサを含むことができる。【選択図】図１
2010035414.tif 000002
【特許請求の範囲】
【請求項１】
コンデンサ負荷を平衡させるためのシステム（１００）であって、
複数のコンデンサ（１０２〜１２４）と、
前記複数のコンデンサ（１０２〜１２４）の各々を少なくとも１つの電源（２６４）に接続する複数のそれぞれの正の接続および複数のそれぞれの負の接続と
を含むシステム（１００）において、
前記複数の正の接続の各々がほぼ等しい長さを有し、
前記複数の負の接続の各々がほぼ等しい長さを有するシステム（１００）。
【請求項２】
前記複数のコンデンサ（１０２〜１２４）が直流リンクコンデンサを含む、請求項１記載のシステム（１００）。
【請求項３】
前記複数の正の接続の各々および前記複数の負の接続の各々が、共通点（Ｌ）から前記複数のコンデンサ（１０２〜１２４）の関連するコンデンサまで延びる、請求項１または２記載のシステム（１００）。
【請求項４】
前記共通点（Ｌ）が中心点を含み、前記複数のコンデンサ（１０２〜１２４）が中心点のまわりに置かれる、請求項３記載のシステム（１００）。
【請求項５】
前記複数のコンデンサ（１０２〜１２４）が共通点を基準にして幾何学的に配置される、請求項１乃至４のいずれか１項記載のシステム（１００）。
【請求項６】
前記複数のコンデンサ（１０２〜１２４）が前記共通点のまわりに幾何学的に配置される、請求項５記載のシステム（１００）。
【請求項７】
前記少なくとも１つの電源（２６４）が、約６００ボルトを超える電圧を有する少なくとも１つの中電圧電源を含む、請求項１記載のシステム（１００）。
【請求項８】
前記少なくとも１つの電源（２６４）が交流電源（２６４）を含む、請求項１乃至７のいずれか１項記載のシステム（１００）。
【請求項９】
ほぼ等しい長さをもつ前記複数の正の接続およびほぼ等しい長さをもつ前記複数の負の接続が、前記複数のコンデンサ（１０２〜１２４）の各々に加えられるそれぞれのストレスの平衡化を容易にする、請求項１乃至８のいずれか１項記載のシステム（１００）。
【発明の詳細な説明】
【技術分野】
【０００１】
本発明は、一般にコンデンサバンクに関し、より具体的には、コンデンサ負荷を平衡させるためのシステム、方法、および装置に関する。
【背景技術】
【０００２】
コンデンサバンクは、一般に、エネルギーの蓄積の役割を果たし、大きい交流（ＡＣ）モーター、ガスポンプ、ガスコンプレッサ、冷却液ポンプなどのための電力変換装置駆動部のような様々な用途でしばしば使用される。これらの用途は、ＡＣ電気モーターの回転速度を制御するのに利用される可変周波数駆動（ＶＦＤ）、または例えばＡＣを直流（ＤＣ）に変える電力システムの１つまたは複数の特性を変換するのに利用される可変周波数電力変換装置などの中電圧用途（約６００ボルトよりも大きい）を含むことができる。
【０００３】
従来のコンデンサバンクでは、コンデンサは、一般に、直線構成で配置される。この従来の直線配置は、多くの従来の用途で必要とされるコンデンサの大きいサイズのために部分的に採用された。従来のコンデンサバンクのコンデンサに流入および流出する電流は最小インピーダンスの伝導経路に従って進行する。したがって、電流流れが一様でないことがあり、それが、他のコンデンサと比較して、電流流れに対してより小さいインピーダンスを有するコンデンサにストレスをかけることになる。ストレスは、熱的なもの（例えばコンデンサの不均衡な加熱）および電気的なもの（例えばコンデンサの過負荷電流流れ）の両方である場合がある。これらの電気的ストレスおよび熱的ストレスは、早期の消耗または故障、あるいはストレスをかけられたコンデンサのキャパシタンスの漸進的な減少さえもたらすことがあり、それがこれらのコンデンサに接続された交流モーターのようなデバイスの動作不良をもたらすことがある。さらに、その上、これらの大きいコンデンサの維持管理は非常に高価である。
【０００４】
したがって、コンデンサ負荷を平衡させるためのシステム、方法、および装置の必要性が存在する。さらに、コンデンサバンクのすべてのコンデンサに対するストレス、インピーダンス、および電流負荷の平衡化を容易にする改善されたコンデンサバンクの必要性が存在する。さらに、コンデンサに対するストレス、インピーダンス、および電流負荷を平衡させるようにコンデンサバンク中のコンデンサを配置する改善された方法の必要性が存在する。
【発明の概要】
【課題を解決するための手段】
【０００５】
本発明の一実施形態によれば、コンデンサ負荷を平衡させるためのシステムが開示される。このシステムは、複数のコンデンサと、複数のそれぞれの正の接続および複数のそれぞれの負の接続とを含む。複数の正の接続および負の接続は、複数のコンデンサの各々を少なくとも１つの電源に接続し、複数の正の接続の各々は等しい長さを有し、複数の負の接続の各々は等しい長さを有する。
【０００６】
本発明の別の実施形態によれば、共通点を基準にして幾何学的に配置された複数のコンデンサと、共通点から延びる複数の接続とを含む装置であって、複数の接続の各々が複数のコンデンサのうちの少なくとも１つを少なくとも１つの電源に接続しやすくする装置が開示される。
【０００７】
本発明のさらなる別の実施形態によれば、コンデンサ負荷を平衡させる方法が開示される。複数のコンデンサが設けられ、その複数のコンデンサは共通点を基準にして配置される。複数のコンデンサは少なくとも１つの電源にそれぞれの接続を用いて接続される。複数のコンデンサのうちの第１のものに利用されるそれぞれの１つまたは複数の接続は、複数のコンデンサのうちの他のコンデンサに利用される１つまたは複数の接続の長さと等しい長さを有する。
【０００８】
本発明の他の実施形態、態様、特徴、および利点は、以下の詳細な説明、添付の図面、および添付の特許請求の範囲から当業者にとって明らかになるであろう。
【０００９】
このように一般的用語で本発明を説明したが、次に、必ずしも原寸に比例して描かれていない添付の図面が参照される。
【図面の簡単な説明】
【００１０】
【図１】本発明の例示的な実施形態によるシステムまたは装置の一例の斜視図である。
【図２】本発明の例示的な実施形態による、付加された電力相互接続をもつ図１のシステムまたは装置の斜視図である。
【図３】本発明の例示的な実施形態によるシステムまたは装置の第２の例の斜視図である。
【図４】本発明の例示的な実施形態によるシステムまたは装置の第３の例の斜視図である。
【図５】本発明の例示的な実施形態による、システムまたは装置への電源の接続の一例の回路図である。
【図６】本発明の例示的な実施形態に従ってシステムまたは装置にコンデンサを配置する方法の一例の流れ図である。
【発明を実施するための形態】
【００１１】
ここで、本発明のすべての実施形態ではなくいくつかが示される添付図面を参照しながら本発明の例示的な実施形態が以下により完全に説明される。実際には、本発明は多くの異なる形態で具現することができ、本明細書に記載される実施形態に限定されるものと解釈されるべきでなく、むしろ、これらの実施形態は、この開示が適用可能な法的要件を満たすために提供される。全体を通して同様の数字は同様の要素を参照する。
【００１２】
コンデンサバンクの全体にわたって負荷を平衡させるためのシステム、方法および装置が開示される。コンデンサバンクは、コンデンサバンクを形成するコンデンサに電荷を蓄積するために本発明の様々な実施形態に従って使用することができる。コンデンサバンクは、これらのコンデンサに対するストレス、インピーダンス、および電流負荷が平衡化されるように配置された複数のコンデンサを含むことができる。この開示の目的では、「負荷」という用語は、「ストレス」、「インピーダンス」、および「電流負荷」という用語と交換可能に使用することができる。システムは、複数のコンデンサを対応して１つまたは複数の電源に接続する複数の正の接続および複数の負の接続を含むことができる。本発明のいくつかの実施形態では、複数の正の接続の各々は等しい長さを有することができ、同様に、複数の負の接続の各々は等しい長さを有することができる。
【００１３】
図１は、本発明の例示的な実施形態によるシステムまたは装置の一例の斜視図である。図１は、約６００ボルト（Ｖ）を超える電圧で作動する中電圧用途で使用することができるコンデンサバンク１００中のコンデンサの配置の一例を示す。中電圧用途は、例えばＡＣ同期電気モーターの回転速度を制御することができる可変周波数駆動（ＶＦＤ）、または例えば交流（ＡＣ）を直流（ＤＣ）に変える電力システムの１つまたは複数の特性を変更するための可変周波数電力変換装置とすることができる。コンデンサバンク１００の他の用途は、中電圧であるかどうかにかかわらず、当業者には容易に明らかであろう。
【００１４】
コンデンサバンク１００はエネルギーの貯蔵所として機能することができ、コンデンサは並列にまたは直並列組合せで接続されるが、コンデンサの他の好適な構成を所望に応じて利用することができる。一実施形態では、コンデンサバンク１００は、各々が２つのコンデンサを含む１つまたは複数のコンデンサブロックを含むことができる。言い換えれば、各コンデンサブロックは「二重コンデンサブロック」と呼ぶことができる。本発明の実施形態は、所望のエネルギー蓄積要求に応じて、任意の数のコンデンサおよび／またはコンデンサブロック中に任意の数のコンデンサを含むことができる。図１に示されたコンデンサバンク１００において、各コンデンサブロックは本発明の様々な実施形態において所望に応じて多種多様な様々なキャパシタンスを有することができる。実施形態によっては、各コンデンサブロックのキャパシタンスは、コンデンサバンク１００を使用する用途のエネルギー需要によって決まり得る。キャパシタンスの例として、中電圧ＤＣリンクアセンブリを含む本発明のいくつかの実施形態では、個々のコンデンサはそれぞれ約２０００Ｖから約６０００Ｖまでの電圧で約５００μＦから約２０００μＦまでの範囲のキャパシタンスを有することができる。別の例として、比較的低い電圧のＤＣリンクアセンブリを含む本発明のいくつかの実施形態では、個々のコンデンサはそれぞれ約２０００Ｖから約６０００Ｖまでの電圧で約８０００μＦから約５００００μＦまでの範囲のキャパシタンスを有することができる。
【００１５】
本発明の実施形態は、コンデンサバンク１００中に配置された任意の数のコンデンサを含むことができる。例えば、図１に示されるように、コンデンサバンク１００は１２個のコンデンサ、Ｃ１  １０２、Ｃ２  １０４、Ｃ３  １０６、Ｃ４  １０８、Ｃ５  １１０、Ｃ６  １１２、Ｃ７  １１４、Ｃ８  １１６、Ｃ９  １１８、Ｃ１０  １２０、Ｃ１１  １２２、およびＣ１２  １２４を含むことができる。前述のように、コンデンサバンク１００中の各コンデンサブロックは２つのコンデンサを含むことができる。さらに、各コンデンサブロック中の２つのコンデンサのキャパシタンスは、本発明のいくつかの実施形態ではほぼ等しくすることができる。さらに、図１に示されるように、コンデンサブロック中のコンデンサはすべて対称な形状に配置することができる。コンデンサバンク１００はコンデンサブロック１２６、１２８、１３０、１３２、１３４、および１３６を含むことができ、各コンデンサブロックは２つのコンデンサを含む。例えば、図１に示されるように、軸Ａ−Ａ’はコンデンサブロック１３０および１３４をそれぞれコンデンサＣ５  １１０、Ｃ６  １１２およびＣ９  １１８、Ｃ１０  １２０に分割する。同様に、軸Ｂ−Ｂ’はコンデンサブロック１２８および１３６をそれぞれコンデンサＣ３  １０６、Ｃ４  １０８およびＣ１１  １２２、Ｃ１２  １２４に分割し、軸Ｃ−Ｃ’はコンデンサブロック１２６および１３２をそれぞれコンデンサＣ１  １０２、Ｃ２  １０４およびＣ７  １１４、Ｃ８  １１６に分割する。一実施形態では、コンデンサブロック１２６、１２８、１３０、１３２、１３４、および１３６内のコンデンサは並列に接続することができる。別の実施形態では、これらのコンデンサは直並列構成で接続することができる。さらに、図１に示されたコンデンサブロックは、形状、サイズおよび／またはエネルギー蓄積容量を幾何学的に対称とすることができる。
【００１６】
さらに、コンデンサバンク１００中のコンデンサの配置は、同様の電力端子、例えばコンデンサＣ１  １０２、Ｃ８  １１６、およびＣ２  １０４、Ｃ７  １１４の正端子が互いに向き合うようなものとすることができる。一実施形態では、コンデンサＣ１  １０２、Ｃ８  １１６、およびＣ２  １０４、Ｃ７  １１４の負端子は互いに向き合う。したがって、コンデンサＣ３  １０６、Ｃ１２  １２４、およびＣ４  １０８、Ｃ１１  １２２の同様の電力端子は互いに向き合い、コンデンサＣ５  １１０、Ｃ１０  １２０、およびＣ６  １１２、Ｃ９  １１８の同様の電力端子は互いに向き合う。さらに、図１に示されるように、軸Ａ−Ａ’およびＢ−Ｂ’は互いにほぼ平行とすることができ、軸Ｃ−Ｃ’は軸Ａ−Ａ’およびＢ−Ｂ’の両方に対してほぼ垂直とすることができる。共通点「Ｌ」は、コンデンサバンク１００中のコンデンサの電力端子を電源（図示せず）に接続するように決定することができる。共通点「Ｌ」は、コンデンサバンク１００中のコンデンサの各々の正端子までの距離がほぼ等しい点として定義することができる。同様に、コンデンサバンク１００中のすべてのコンデンサの負端子は共通点「Ｌ」からほぼ等距離とすることができる。本発明の様々な実施形態では、共通点は、共通点「Ｌ」を通り、軸Ａ−Ａ’およびＢ−Ｂ’によって形成される平面に垂直な軸上に位置することができる。
【００１７】
この開示の目的では、コンデンサバンク１００中のコンデンサの正端子と共通点「Ｌ」との間の接続は交換可能に「正の接続」と呼ばれることがあり、同様に、負端子と共通点「Ｌ」との間の接続は「負の接続」と呼ばれることがある。
【００１８】
本発明のいくつかの実施形態によれば、共通点「Ｌ」はコンデンサバンク１００中のすべてのコンデンサに対する中心点とすることができる。したがって、コンデンサブロック１２６、１２８、１３０、１３２、１３４、および１３６の配置は、コンデンサバンク１００中のすべてのコンデンサの正端子を連結すると六角形の形状（図１に点線で示される）を形成するようなものである。共通点「Ｌ」はこの六角形の形状のすべての側からの中心点にある。したがって、正の接続はすべてほぼ等しい長さである。同様に、コンデンサバンク１００中のすべてのコンデンサの負端子は、六角形の形状を形成するように相互に連結することができる。この場合、負の接続はすべてほぼ等しい長さである。この開示の目的では、図１に示された配置は、「六角形の設計」、「六角形の配置」、または「六角形の配置形状」と呼ぶことができる。しかし、場合によっては、共通点「Ｌ」は、例えば、図４を参照しながら以下でより詳細に説明される電源のまわりのコンデンサの半円形配置では中心点でないことがある。
【００１９】
例えば、コンデンサが典型的に直線的に配置された、コンデンサバンクのコンデンサの従来の配置では、コンデンサの端から端までの不均一な抵抗はこれらのコンデンサへの不均一なストレスを引き起こすことがある。この配置では、これらのコンデンサに流入および流出するエネルギーは最小の抵抗の伝導経路に従って進行する。本発明の様々な実施形態によれば、コンデンサバンク中のコンデンサへのこれらの不均一なストレスは、すべてのコンデンサ（すなわちＣ１  １０２、Ｃ２  １０４、Ｃ３  １０６、Ｃ４  １０８、Ｃ５  １１０、Ｃ６  １１２、Ｃ７  １１４、Ｃ８  １１６、Ｃ９  １１８、Ｃ１０  １２０、Ｃ１１  １２２、およびＣ１２  １２４）と共通点「Ｌ」との間のほぼ等しい長さの接続に応じて除去されるかまたは実質的に除去される。さらに、コンデンサバンク１００中のコンデンサへのまたはそれからの抵抗は、これらのコンデンサの六角形の配置形状の結果としてほぼ一致することができる。その結果、これらのコンデンサの各々に加えられるストレス、インピーダンス、および電流負荷は本発明の一態様に従って平衡化される。
【００２０】
図１は、本発明のいくつかの実施形態において随意とすることができるコンデンサブロック１２６の取付け脚１３８をさらに示す。取付け脚１３８は、軸Ａ−Ａ’およびＣ−Ｃ’によって形成される平面に垂直であり、共通点「Ｌ」の方に向くかまたは外方に向いているコンデンサブロック１２６の側面上に存在することができる。同様に、取付け脚１３８と同様の取付け脚が、各コンデンサブロック１２８、１３０、１３２、１３４、および１３６の側面に存在することができる。取付け脚１３８は、コンデンサバンク１００に含まれる様々なコンデンサを取り付けるために使用することができ、コンデンサに機械的支持を与えることができる。
【００２１】
本発明の様々な実施形態において、複数のコンデンサバンクは可変周波数電力変換装置で使用することができる。本発明のいくつかの実施形態によるコンデンサバンク１００のサイズは比較的大きいために、コンデンサバンク１００は屋外環境に配置されることがある。コンデンサバンク１００はアースから絶縁された高いプラットフォーム上に配置されることがある。コンデンサバンク１００の動作電圧は、必要とされる絶縁のレベルを決定する際に利用することができる。
【００２２】
本発明の一態様によれば、図１のコンデンサバンク１００で使用されるコンデンサはＤＣリンクコンデンサとすることができる。ＤＣリンクコンデンサはエネルギー蓄積を容易にし、ＤＣリンク電圧用のフィルタとして働くことができる。本発明のいくつかの他の実施形態では、他のタイプのコンデンサを所望に応じて利用することができる。例えば、本発明の実施形態は、電圧仕様および／またはキャパシタンス仕様と無関係に並列構成で接続されたコンデンサを含む任意のコンデンサ設計に適用することができる。
【００２３】
図２は、本発明の例示的な実施形態による、付加された電力相互接続をもつ図１のシステムまたは装置の斜視図である。本発明の様々な実施形態では、任意の数の電力相互接続を、図１に示されたコンデンサバンク１００のために設けることができる。
【００２４】
図２は、図１に関連して上記で説明したような形状に配置された１２個のコンデンサＣ１  ２０２、Ｃ２  ２０４、Ｃ３  ２０６、Ｃ４  ２０８、Ｃ５  ２１０、Ｃ６  ２１２、Ｃ７  ２１４、Ｃ８  ２１６、Ｃ９  ２１８、Ｃ１０  ２２０、Ｃ１１  ２２２、およびＣ１２  ２２４を含むことができるコンデンサバンク２００を示す。本発明の実施形態は、コンデンサブロックに配置することができる任意の数のコンデンサを含むことができる。例えば、図２に示されるように、Ｃ１  ２０２およびＣ２  ２０４、Ｃ３  ２０６およびＣ４  ２０８、Ｃ５  ２１０およびＣ６  ２１２、Ｃ７  ２１４およびＣ８  ２１６、Ｃ９  ２１８およびＣ１０  ２２０、ならびにＣ１１  ２２２およびＣ１２  ２２４はそれぞれ一緒にコンデンサブロック２２６、２２８、２３０、２３２、２３４、ならびに２３６を形成する。
【００２５】
図２をさらに参照すると、相互接続プレート２３８を、コンデンサバンク２００上に、例えばコンデンサバンク２００の最上部上に取り付けることができる。相互接続プレート２３８は、コンデンサバンク２００中の各コンデンサの同様の電力端子を電源に接続しやすくすることができる。例えば、相互接続プレート２３８を使用して、コンデンサＣ１  ２０２、Ｃ２  ２０４、Ｃ３  ２０６、Ｃ４  ２０８、Ｃ５  ２１０、Ｃ６  ２１２、Ｃ７  ２１４、Ｃ８  ２１６、Ｃ９  ２１８、Ｃ１０  ２２０、Ｃ１１  ２２２、およびＣ１２  ２２４の正端子Ｐ１  ２４０、Ｐ２  ２４２、Ｐ３  ２４４、Ｐ４  ２４６、Ｐ５  ２４８、Ｐ６  ２５０、Ｐ７  ２５２、Ｐ８  ２５４、Ｐ９  ２５６、Ｐ１０  ２５８、Ｐ１１  ２６０、およびＰ１２  ２６２を電源２６４に接続することができる。電源２６４を共通点「Ｌ」に置く場合があり、または、代替として、電源２６４への接続が共通点「Ｌ」を通過する場合がある。図１に示されるように、これらの正端子はすべて共通点「Ｌ」の方に向く。本発明の一実施形態では、電源２６４は１つまたは複数の電力半導体を通してコンデンサバンク２００中のコンデンサに接続することができる。本発明の一実施形態では、電源２６４はＤＣ電源とすることができ、コンデンサＣ１  ２０２、Ｃ２  ２０４、Ｃ３  ２０６、Ｃ４  ２０８、Ｃ５  ２１０、Ｃ６  ２１２、Ｃ７  ２１４、Ｃ８  ２１６、Ｃ９  ２１８、Ｃ１０  ２２０、Ｃ１１  ２２２、およびＣ１２  ２２４の正端子は、ＤＣ電源２６４の正端子（図示せず）に接続することができる。
【００２６】
本発明の様々な実施形態では、コンデンサＣ１  ２０２、Ｃ２  ２０４、Ｃ３  ２０６、Ｃ４  ２０８、Ｃ５  ２１０、Ｃ６  ２１２、Ｃ７  ２１４、Ｃ８  ２１６、Ｃ９  ２１８、Ｃ１０  ２２０、Ｃ１１  ２２２、およびＣ１２  ２２４の負端子Ｎ１  ２６６、Ｎ２  ２６８、Ｎ３  ２７０、Ｎ４  ２７２、Ｎ５  ２７４、Ｎ６  ２７６、Ｎ７  ２７８、Ｎ８  ２８０、Ｎ９  ２８２、Ｎ１０  ２８４、Ｎ１１  ２８６、およびＮ１２  ２８８はそれぞれ電源２６４に接続することができる。本発明の別の実施形態では、これらの負端子は異なる電源（以下、他の電源と呼ぶ）に接続することができる。この場合、他の電源を電源２６４に電気的に接続することができる。本発明の一実施形態では、電源２６４がＤＣ電源である場合、負端子はＤＣ電源２６４の負端子（図示せず）に接続することができる。本発明のいくつかの実施形態では、２つを超える電源を使用することもできる。本発明の様々な実施形態で利用することができる電源の例には、限定はしないが、３相ＡＣをＤＣに変換する６パルスダイオードブリッジ、２つの３相ＡＣ電圧をＤＣに変換する１２パルスダイオードブリッジ（例えば直列の２つの６パルス）、３つの３相ＡＣ電圧をＤＣに変換する１８パルスダイオードブリッジ（例えば直列の３つの６パルス）、ＤＣを形成するために整流し直列に加算された多数の単相ＡＣ源、多数の３相入力をＤＣに変換する直列の１つまたは複数の２レベル絶縁ゲートバイポーラトランジスタ（ＩＧＢＴ）／集積ゲート転流サイリスタ（ＩＧＣＴ）ブリッジ、および／または多数の３相入力をＤＣに変換する直列の１つまたは複数の３レベルＩＧＢＴ／ＩＧＣＴブリッジが含まれる。
【００２７】
本発明のいくつかの実施形態では、相互接続プレート２３８は正端子だけを電源２６４に接続することができ、負端子のところで絶縁することができる。そのような場合、付加的な相互接続プレート（図示せず）を使用して、コンデンサの負端子を電源２６４に接続することができる。本発明の一実施形態では、付加的な相互接続プレートは、短絡を避けるためにコンデンサの正端子のところで絶縁することができる。付加的な相互接続プレートは、相互接続プレート２３８の上または下に平行して配置することができる。本発明の一実施形態では、相互接続プレート２３８は、導電性材料で構成された六角形のプレートとすることができる。本発明の一実施形態では、銅（Ｃｕ）ワイヤまたはアルミニウム（Ａｌ）ワイヤなどのような導電性材料を使用して、コンデンサの負端子を電源２６４に接続することができる。図２に示される配置のタイプでは、電源２６４が共通点「Ｌ」に配置される場合、相互接続は共通点「Ｌ」からコンデンサバンク２００の各コンデンサ端子まで延びる。本発明の様々な実施形態では、共通点「Ｌ」は、コンデンサバンク２００中のすべてのコンデンサ対する中心点でないことがある（図４に関連して後で説明されるように）。しかし、電源２６４から各コンデンサ端子までの接続の長さはほぼ等しい。本発明の様々な実施形態では、電源２６４は、共通点「Ｌ」を通る軸上のいかなる場所にも配置することができる。他の実施形態では、電源２６４に至る接続は共通点「Ｌ」を通過することができる。したがって、コンデンサ端子と電源２６４との間の接続の長さはほぼ等しいままであることができる。
【００２８】
図２に示された配置の結果として、ほぼ等しい長さの正の接続およびほぼ等しい長さの負の接続が、コンデンサ（すなわち、Ｃ１  ２０２、Ｃ２  ２０４、Ｃ３  ２０６、Ｃ４  ２０８、Ｃ５  ２１０、Ｃ６  ２１２、Ｃ７  ２１４、Ｃ８  ２１６、Ｃ９  ２１８、Ｃ１０  ２２０、Ｃ１１  ２２２、およびＣ１２  ２２４）と電源２６４との間に生成される。さらに、コンデンサバンク２００中のコンデンサへのまたはそれからの抵抗は、これらのコンデンサの六角形の配置形状のためにほぼ一致する。その結果、これらのコンデンサの各々に加えられるストレス、インピーダンス、および電流負荷は本発明の一態様に従って平衡化される。
【００２９】
図２は、コンデンサブロック２２６、２２８、２３０、２３２、２３４、および２３６の取付け脚２９０をさらに示す。取付け脚２９０の位置は、図１に関連する取付け脚１３８について前述したものと同様とすることができる。
【００３０】
さらに、本発明のいくつかの実施形態によれば、電源２６４は、約６００Ｖよりも大きい電圧を有する中電圧電源とすることができる。さらに、本発明のいくつかの実施形態では、電源２６４はＡＣ電源とすることができる。代替として、電源２６４はＤＣ電源とすることができ、その場合、正の接続はコンデンサバンク２００中のコンデンサの正端子をＤＣ電源２６４の正端子に接続し、負の接続はこれらのコンデンサの負端子をＤＣ電源２６４に接続する。
【００３１】
図３は、本発明の例示的な実施形態によるシステムまたは装置の第２の例の斜視図である。図３は、中電圧用途などの多種多様な様々な用途で利用することができるコンデンサバンク３００中のコンデンサの配置の別の例を示す。
【００３２】
本発明の実施形態は、コンデンサバンク３００中に配置された任意の数のコンデンサを含むことができる。例えば、図３に示されるように、コンデンサバンク３００は１２個のコンデンサＣ１  ３０２、Ｃ２  ３０４、Ｃ３  ３０６、Ｃ４  ３０８、Ｃ５  ３１０、Ｃ６  ３１２、Ｃ７  ３１４、Ｃ８  ３１６、Ｃ９  ３１８、Ｃ１０  ３２０、Ｃ１１  ３２２、およびＣ１２  ３２４を含むことができる。いくつかの実施形態では、コンデンサはコンデンサブロック中に配置することができる。例えば、コンデンサは、各々が２つのコンデンサを含むコンデンサブロック中に配置することができるが、任意の数のコンデンサをコンデンサブロック中に含めることができる。コンデンサブロック中に２つのコンデンサを配置する場合、各コンデンサブロック中の２つのコンデンサのキャパシタンスはほぼ等しくすることができる。図３に示されるように、各コンデンサブロック中のコンデンサはすべて対称な形状に配置することができる。したがって、コンデンサブロック中の各コンデンサの正端子は一緒に対にすることができ、各コンデンサの負端子も同様である。コンデンサバンク３００はコンデンサブロック３２６、３２８、３３０、３３２、３３４、および３３６を含むことができ、各コンデンサブロックは２つのコンデンサを含む。例えば、図１に示されるように、軸Ｘ−Ｘ’は、コンデンサブロック３３０および３３６を、それぞれコンデンサＣ５  ３１０、Ｃ６  ３１２およびＣ１１  ３２２、Ｃ１２  ３２４に分割することができる。同様に、軸Ｙ−Ｙ’は、コンデンサブロック３２６および３３２を、それぞれコンデンサＣ１  ３０２、Ｃ２  ３０４およびＣ７  ３１４、Ｃ８  ３１６に分割することができ、軸Ｚ−Ｚ’は、コンデンサブロック３２８および３３４を、それぞれコンデンサＣ３  ３０６、Ｃ４  ３０８およびＣ９  ３１８、Ｃ１０  ３２０に分割することができる。一実施形態では、コンデンサブロック３２６、３２８、３３０、３３２、３３４、および３３６内のコンデンサは並列に接続することができる。別の実施形態では、これらのコンデンサは直並列構成で接続することができる。さらに、図３に示されたコンデンサブロックは、本発明のいくつかの実施形態では形状およびサイズを幾何学的に対称とすることができる。
【００３３】
さらに、コンデンサバンク３００中のコンデンサの配置は、同様の電力端子、例えばコンデンサＣ１  ３０２、Ｃ８  ３１６、およびＣ２  ３０４、Ｃ７  ３１４の正端子が互いに向き合うようなものとすることができる。一実施形態では、コンデンサＣ１  ３０２、Ｃ８  ３１６、およびＣ２  ３０４、Ｃ７  ３１４の負端子は互いに向き合うことができる。したがって、コンデンサＣ３  ３０６、Ｃ１０  ３２０およびＣ４  ３０８、Ｃ１１  ３１８の同様の電力端子は互いに向き合うことができ、コンデンサＣ５  ３１０、Ｃ１２  ３２４およびＣ６  ３１２、Ｃ１１  ３２２の同様の電力端子は互いに向き合う。
【００３４】
さらに、共通点「Ｏ」は、コンデンサバンク３００中のコンデンサの電力端子を電源（図示せず）に接続するように決定することができる。共通点「Ｏ」は、コンデンサバンク３００中の各コンデンサの正端子への距離がほぼ等しい点として定義することができる。同様に、コンデンサバンク３００中のすべてのコンデンサの負端子は共通点「Ｏ」からほぼ等距離とすることができる。共通点「Ｏ」は、軸Ｘ−Ｘ’、Ｙ−Ｙ’、およびＺ−Ｚ’の交差点に対して定義することもでき、その結果、この交差により形成される角度（例えば角ＺＯＹ’）はほぼ等しくなり、例えば、各々約６０度などになる。したがって、図３に示されるように、コンデンサブロックは互いに対して６０度または６０度の倍数の角度で配置される。本発明の様々な実施形態では、軸間で形成される角度は、コンデンサバンク３００で使用されるコンデンサブロックの数によって決まり得る。例えば、９つのコンデンサブロックがコンデンサバンク３００で使用される場合には、配置を対称に保つためにコンデンサブロック間の角度は約４０度とすることができる。代替として、図１に示されるように、様々な実施形態において所望に応じていくつかのコンデンサブロックを互いに至近距離に置くことができる。本発明の様々な実施形態では、共通点は、共通点「Ｏ」を通過し、軸Ｘ−Ｘ’およびＹ−Ｙ’によって形成される平面に垂直な軸上に位置することができる。
【００３５】
本発明のいくつかの実施形態では、共通点「Ｏ」は、コンデンサバンク３００中のすべてのコンデンサに対する中心点とすることができる。したがって、これらのコンデンサブロック３２６、３２８、３３０、３３２、３３４、および３３６の配置は、コンデンサバンク３００中のすべてのコンデンサの正端子を連結すると六角形の形状（図３に点線で示される）を形成するようなものとすることができる。共通点「Ｏ」は、この六角形の形状のすべての側からの中心点にあることができる。したがって、正の接続はすべてほぼ等しい長さとすることができる。同様に、コンデンサバンク３００のすべてのコンデンサの負端子は、六角形の形状を形成するように相互に連結することができる。この場合、負の接続はすべてほぼ等しい長さとすることができる。図３に示されるＸ−Ｘ’、Ｙ−Ｙ’、およびＺ−Ｚ’軸はコンデンサの星状配置を示唆する。したがって、この開示の目的では、図３に示された配置は、「星状の設計」、「星状の配置」、または「星状の配置形状」と呼ぶことができる。
【００３６】
図３に示された配置の結果として、すべてのコンデンサ（すなわち、Ｃ１  ３０２、Ｃ２  ３０４、Ｃ３  ３０６、Ｃ４  ３０８、Ｃ５  ３１０、Ｃ６  ３１２、Ｃ７  ３１４、Ｃ８  ３１６、Ｃ９  ３１８、Ｃ１０  ３２０、Ｃ１１  ３２２、およびＣ１２  ３２４）と共通点「Ｏ」との間の接続の長さはほぼ等しい。さらに、コンデンサバンク３００中のコンデンサへのまたはそれからの抵抗は、これらのコンデンサの星状の配置形状のためにほぼ一致することができる。その結果、これらのコンデンサの各々に加えられるストレス、インピーダンス、および電流負荷は本発明の一態様に従って平衡化される。
【００３７】
図３は、コンデンサブロック３２６、３２８、３３０、３３２、３３４、および３３６の取付け脚３３８をさらに示す。取付け脚３３８の位置は、図１に関連する取付け脚１３８について前述したものと同様とすることができる。
【００３８】
本発明の一実施形態では、２つの相互接続プレート（図２に関連して前に説明した相互接続プレート２３８と同様の）を使用して、すべてのコンデンサ（すなわち、Ｃ１  ３０２、Ｃ２  ３０４、Ｃ３  ３０６、Ｃ４  ３０８、Ｃ５  ３１０、Ｃ６  ３１２、Ｃ７  ３１４、Ｃ８  ３１６、Ｃ９  ３１８、Ｃ１０  ３２０、Ｃ１１  ３２２、およびＣ１２  ３２４）の電力端子を、共通点「Ｏ」に配置することができる電源（図２に関連して前に説明した電源２６４と同様の）に接続することができる。代替として、本発明の別の実施形態では、１つまたは複数の導電性ワイヤを使用して、コンデンサバンク３００中のコンデンサ端子を電源に接続することができる。
【００３９】
図４は、本発明の例示的な実施形態によるシステムまたは装置の第３の例の斜視図である。図４は、中電圧用途などの様々な用途で使用することができるコンデンサバンク４００中のコンデンサの配置のさらなる別の例を示す。
【００４０】
本発明の実施形態は、コンデンサバンク４００中に配置された任意の数のコンデンサを含むことができる。例えば、図４に示されるように、コンデンサバンク４００は８つのコンデンサＣ１  ４０２、Ｃ２  ４０４、Ｃ３  ４０６、Ｃ４  ４０８、Ｃ５  ４１０、Ｃ６  ４１２、Ｃ７  ４１４、およびＣ８  ４１６を含むことができる。コンデンサバンクは、本発明のいくつかの実施形態では１つまたは複数のコンデンサブロックで配置することができる。コンデンサバンク４００中の各コンデンサブロックは任意の数のコンデンサ、例えば２つのコンデンサなどを含むことができる。さらに、二重コンデンサブロックの各々の中の２つのコンデンサのキャパシタンスは等しくすることができる。図４に示されるように、コンデンサブロック中のコンデンサはすべて対称な形状に配置することができる。したがって、コンデンサブロック中の各コンデンサの正端子は一緒に対にされ、各コンデンサの負端子も同様である。例えば、図４に示されるように、軸Ｐ−Ｐ’、Ｑ−Ｑ’、Ｒ−Ｒ’、ならびにＳ−Ｓ’は、コンデンサブロック４１８、４２０、４２２、および４２４を、それぞれコンデンサＣ１  ４０２およびＣ２  ４０４、Ｃ３  ４０６およびＣ４  ４０８、Ｃ５  ４１０およびＣ６  ４１２、ならびにＣ７  ４１４およびＣ８  ４１６に分割する。一実施形態では、コンデンサブロック４１８、４２０、４２２、および４２４内のコンデンサは並列に接続することができる。別の実施形態では、これらのコンデンサは直並列構成で接続することができる。さらに、図４に示されるコンデンサブロックは、形状およびサイズが幾何学的に対称である。
【００４１】
さらに、コンデンサバンク４００中のコンデンサの配置は、同様の電力端子、例えばこれらのコンデンサの正端子が電源４２６と向き合うことができるようなものである。共通点「Ｎ」は、コンデンサバンク４００中のコンデンサの電力端子を電源４２６に接続するように決定することができる。共通点「Ｎ」は、コンデンサバンク４００中のすべてのコンデンサの正端子Ｐ１  ４２８、Ｐ２  ４３０、Ｐ３  ４３２、Ｐ４  ４３４、Ｐ５  ４３６、Ｐ６  ４３８、Ｐ７  ４４０、およびＰ８  ４４２の距離が等しい点として定義することができる。同様に、コンデンサバンク４００中のすべてのコンデンサの負端子Ｎ１  ４４４、Ｎ２  ４４６、Ｎ３  ４４８、Ｎ４  ４５０、Ｎ５  ４５２、Ｎ６  ４５４、Ｎ７  ４５６、およびＮ８  ４５８は共通点「Ｎ」から等距離とすることができる。本発明の様々な実施形態では、共通点は、共通点「Ｎ」を通過し、軸Ｑ−Ｑ’およびＲ−Ｒ’によって形成される平面に垂直な軸上に位置することができる。
【００４２】
本発明の一態様によれば、コンデンサブロック４１８、４２０、４２２、および４２４の配置は、これらのコンデンサブロックの同様の電力端子および共通点「Ｎ」が接続される場合、半円形の形状が形成されるようなものとすることができる。この半円形の配置では、共通点「Ｎ」はこの半円の中心にあることができ、コンデンサブロック４１８、４２０、４２２、および４２４は半円形の円周に配置される。この半円形の形状では、共通点「Ｎ」からコンデンサバンク４００中の各コンデンサの正端子まで延びる正の接続はすべてほぼ等しい長さである。同様に、負の接続はすべてほぼ等しい長さである。この開示の目的では、図４に示された配置は、「半円形の設計」、「半円形の配置」、または「半円形の配置形状」と呼ぶことができる。
【００４３】
図４に示される配置の結果として、ほぼ等しい長さの正の接続およびほぼ等しい長さ負の接続が、コンデンサ（すなわちＣ１  ４０２、Ｃ２  ４０４、Ｃ３  ４０６、Ｃ４  ４０８、Ｃ５  ４１０、Ｃ６  ４１２、Ｃ７  ４１４、およびＣ８  ４１６）と共通点「Ｎ」との間に生成される。さらに、コンデンサバンク４００中のコンデンサへのまたはそれからの抵抗は、これらのコンデンサの半円形の配置形状のためにほぼ一致することができる。その結果、これらのコンデンサの各々に加えられるストレス、インピーダンス、および電流負荷は本発明の一態様に従ってほぼ平衡化される。
【００４４】
図４は、コンデンサブロック４１８、４２０、４２２、および４２４の取付け脚４６０をさらに示す。取付け脚４６０の位置は、図１に関連する取付け脚１３８について前述したものと同様とすることができる。
【００４５】
図４に示された配置のタイプでは、電源４２６はコンデンサバンク４００の共通点「Ｎ」に配置することができる。図４に示されるように、コンデンサバンク４００中のコンデンサは共通点「Ｎ」を基準にして幾何学的に配置することができる。
【００４６】
本発明の様々な実施形態では、電源４２６は、コンデンサＣ１  ４０２、Ｃ２  ４０４、Ｃ３  ４０６、Ｃ４  ４０８、Ｃ５  ４１０、Ｃ６  ４１２、Ｃ７  ４１４、およびＣ８  ４１６の正端子Ｐ１  ４２８、Ｐ２  ４３０、Ｐ３  ４３２、Ｐ４  ４３４、Ｐ５  ４３６、Ｐ６  ４３８、Ｐ７  ４４０、およびＰ８  ４４２に、それぞれ任意の好適な正の接続、例えば、導電性ワイヤ（例えばＣｕまたはＡｌ）などを用いて接続することができる。代替として、本発明の一実施形態では、導電性ワイヤの代わりに、相互接続プレート（図示せず）を、コンデンサＣ１  ４０２、Ｃ２  ４０４、Ｃ３  ４０６、Ｃ４  ４０８、Ｃ５  ４１０、Ｃ６  ４１２、Ｃ７  ４１４、およびＣ８  ４１６の正端子をすべて電源４２６に接続するためにコンデンサバンク４００の上に取り付けることができる。本発明の様々な実施形態では、コンデンサＣ１  ４０２、Ｃ２  ４０４、Ｃ３  ４０６、Ｃ４  ４０８、Ｃ５  ４１０、Ｃ６  ４１２、Ｃ７  ４１４、およびＣ８  ４１６の負端子Ｎ１  ４４４、Ｎ２  ４４６、Ｎ３  ４４８、Ｎ４  ４５０、Ｎ５  ４５２、Ｎ６  ４５４、Ｎ７  ４５６、およびＮ８  ４５８はそれぞれ同じ電源４２６に（負の接続を使用して）接続することができる。本発明の別の実施形態では、これらの負端子は異なる電源（図示せず）に接続することができる。この場合、異なる電源は電源４２６に電気的に接続することができる。本発明のいくつかの実施形態では、２つを超える電源を使用することもできる。
【００４７】
本発明の一実施形態では、前述の相互接続プレートは正端子だけを電源４２６に接続することができ、負端子のところで絶縁することができる。そのような場合、付加的な相互接続プレート（図示せず）を使用して、コンデンサの負端子を電源４６２に接続することができる。本発明の一実施形態では、付加的な相互接続プレートは、短絡を避けるためにコンデンサの正端子のところで絶縁することができる。付加的な相互接続プレートは、他の相互接続プレートの上または下に平行して配置することができる。相互接続プレートは、本発明の一実施形態に従って導電性材料で構成された半円形プレートとすることができる。本発明の別の実施形態では、相互接続プレートの形状は円形の一領域の形状である。本発明の一実施形態では、導電性ワイヤを使用して、負のコンデンサ端子を電源４２６に接続することができる。
【００４８】
図４は、コンデンサブロック４１８、４２０、４２２、および４２４の取付け脚４６０をさらに示す。取付け脚４６０の位置は、図１に関連する取付け脚１３８について前述したものと同様とすることができる。
【００４９】
本発明の一実施形態では、低インダクタンス電力構造体を使用してコンデンサバンク中のコンデンサへの負荷の平衡化を達成することができる。本発明の別の実施形態では、コンデンサへの負荷を平衡させるために、コンデンサ端子が互いに向き合うような方法でコンデンサバンク中のコンデンサを配置することができる。
【００５０】
多種多様な様々なコンデンサ配置を本発明の様々な実施形態に従って利用することができることが理解されよう。これらの配置の各々は、電源へのほぼ等しい長さのそれぞれの正の接続を有するコンデンサを含むことができる。さらに、これらの配置の各々は、電源へのほぼ等しい長さのそれぞれの負の接続を有するコンデンサを含むことができる。これらの配置は、コンデンサの幾何学的配置を含む場合もあり、含まない場合もある。
【００５１】
さらに、本発明のいくつかの実施形態では、第１のコンデンサの正および負の接続の全長がコンデンサバンク中の他のコンデンサの正および負の接続の全長とほぼ等しくなるように、コンデンサを配置することができる。
【００５２】
図５は、本発明の例示的な実施形態による、システムまたは装置への電源（図示せず）の接続の一例の回路図５００である。実施形態によっては、電源は、電力変換装置５０２にＡＣ電力を供給し、かつ電力変換装置５０２からＡＣ電力を受け取るために使用される電源４２６などのＡＣ電源とすることができる。電力変換装置５０２は、電力変換を行うために作動する複数の電力半導体を含むことができる。さらに、電力変換装置５０２はＡＣモーター（図示せず）に必要な電力を供給するために使用することができる。ＡＣモーターは、本発明の一実施形態によれば３相同期ＡＣモーターとすることができる。この場合、電力変換装置５０２は、３相非同期ＡＣモーター用の３相電力を発生することができる。本発明の一実施形態では、電力変換装置５０２は多相変換装置とすることができ、したがって多相電力を発生することができる。電力変換装置５０２は、３の倍数のいくつかの相を有することができる。さらに、本発明のいくつかの実施形態では、電力変換装置５０２は複数の電源（図示せず）から作動することができる。
【００５３】
本発明のいくつかの実施形態では、電力変換装置５０２はＡＣ−ＡＣ変換装置とすることができる。この場合、ＡＣ電源は第１の周波数で３相ＡＣ電力を供給することができ、ＡＣ−ＡＣ変換装置５０２は、受け取ったＡＣ電力の第１の周波数をＡＣモーターに適する第２の周波数に変換することができる。例えば、ＡＣ−ＡＣ変換装置５０２は４００ヘルツ（Ｈｚ）のＡＣ電力を可変周波数電力に変換することができ、その後、可変周波数電力をＡＣモーターに供給することができる。
【００５４】
図５を参照すると、電力変換装置５０２は電源側でコンデンサバンク５０４に接続することができる。コンデンサバンク５０４は４つのコンデンサなどの任意の数のコンデンサを含むことができ、ＡＣモーターに供給されることになる電気エネルギーを蓄積することができる。本発明の一実施形態では、コンデンサバンク５０４は３相コンデンサバンクとすることができる。本発明の別の実施形態では、コンデンサバンク５０４中のコンデンサはＤＣ電力を供給するＤＣリンクコンデンサとすることができる。この場合、使用される電力変換装置５０２はＤＣ−ＡＣ変換装置とすることができる。ＤＣ−ＡＣ変換装置５０２は、ＤＣリンクコンデンサバンク５０４から供給されるＤＣ電圧をＡＣ相電圧に変換することができる。したがって、ＤＣ−ＡＣ変換装置５０２はＡＣモーターを駆動するのに利用することができる。
【００５５】
上記の実施形態で与えられた範囲の値は例としてのみ提供されており、本発明の範囲を限定または逸脱するものではないことが当業者には明らかであろう。
【００５６】
図６は、本発明の例示的な実施形態に従ってシステムまたは装置にコンデンサを配置する方法６００の一例の流れ図である。
【００５７】
方法６００はブロック６０５で始まることができる。ブロック６０５で、中電圧用途での使用のためのコンデンサバンクを形成するＤＣリンクコンデンサなどの複数のコンデンサを設けることができる。ブロック６０５はその後にブロック６１０が続くことができ、ブロック６１０で、コンデンサの共通点を基準にしてコンデンサを配置することができる。本発明のいくつかの実施形態では、共通点は、コンデンサバンク中のすべてのコンデンサに対する中心点とすることができる。電源は、この共通点および／または中心点に配置することができる。他の実施形態では、共通点が中心点でない場合もある。本発明のいくつかの実施形態では、コンデンサは共通点に対して対称的に配置することができる。さらに、本発明のいくつかの実施形態では、コンデンサは共通点を基準にして幾何学的に配置することができる。
【００５８】
ブロック６１０はその後にブロック６１５が続くことができ、ブロック６１５で、コンデンサは少なくとも１つの電源に接続することができる。本発明の一実施形態では、正の接続（例えば、ワイヤまたは電力相互接続）は、すべての正の接続の長さがほぼ等しくなるように電源から各コンデンサの正端子まで延びることができる。同様に、負の接続は、負の接続の長さがほぼ等しくなるように同じまたは異なる電源からコンデンサの各々の負端子まで延びることができる。ほぼ等しい長さの正の接続およびほぼ等しい長さの負の接続は、コンデンサバンク中のコンデンサの各々に加えられるストレス、インピーダンス、および電流負荷の平衡化を容易にすることができる。本発明のいくつかの実施形態では、電源は、６００ボルトを超える電圧を有する中電圧電源とすることができる。いくつかの実施形態では、電源はＡＣ電源とすることができる。１つより多い電源を本発明の様々な実施形態において所望に応じて利用することができ、複数の電源は好適な正および負の接続を使用してコンデンサに接続することができる。
【００５９】
方法６００はブロック６１５の後で終了することができる。
【００６０】
図６の方法６００で説明した工程は図６に記載した順序で必ずしも行う必要はなく、代わりに、任意の好適な順序で行うことができる。さらに、本発明のいくつかの実施形態では、図６に記載された要素または工程のすべてよりも多くても少なくても行うことができる。
【００６１】
本発明の様々な実施形態に従ってコンデンサバンク中のコンデンサへのストレスを平衡化するとこれらのコンデンサの信頼性を向上させることができ、それによって、維持管理コストが低減され、コンデンサおよび／またはコンデンサが利用されるシステムの総合的性能が改善される。さらに、上記で説明した電力相互接続設計は電流流れの平衡化を促進することになるだけでなく、コンデンサと電源との間の電力接続のインダクタンスを低下させることにもなる。
【００６２】
本発明のいくつかの実施形態は、電荷または電気エネルギーの蓄積を必要とするいかなるデバイスにも適用可能である。上記で説明したコンデンサ設計は、限定はしないが、大きいＡＣモーター、ガスポンピング、ガスコンプレッサ、冷却液ポンプなどのような多種多様な様々な用途で利用することができる。前述の明細書で与えられたいかなる例も単に説明の目的で提供されており、本発明の範囲を全く限定しないことは明らかであろう。
【００６３】
最も実際的で最も多彩な実施形態であると現在考えられるものと関連して本発明は説明されたが、本発明は開示された実施形態に限定されるものでなく、それどころか添付の特許請求の範囲内に含まれる様々な変形および等価な配置を含むものであることが理解されるべきである。
【００６４】
この文書の説明は、最良の形態を含む本発明の実施形態を開示するために、さらに、任意のデバイスまたはシステムを製作し使用することおよびあらゆる組込みの方法を行うことを含む本発明を当業者が実施できるように例を使用している。本発明の実施形態の特許可能な範囲は、特許請求の範囲に定義されており、当業者が思いつく他の例を含むことができる。そのような他の例が特許請求の範囲の文字どおりの意味と異ならない構造要素を有する場合、またはそのような他の例が特許請求の範囲の文字どおりの意味と実質的に差がない等価な構造要素を含む場合、そのような他の例は特許請求の範囲内にあるものとする。
【符号の説明】
【００６５】
１００  コンデンサバンク
１０２  コンデンサＣ１
１０４  コンデンサＣ２
１０６  コンデンサＣ３
１０８  コンデンサＣ４
１１０  コンデンサＣ５
１１２  コンデンサＣ６
１１４  コンデンサＣ７
１１６  コンデンサＣ８
１１８  コンデンサＣ９
１２０  コンデンサＣ１０
１２２  コンデンサＣ１１
１２４  コンデンサＣ１２
１２６、１２８、１３０、１３２、１３４、１３６  コンデンサブロック
１３８  取付け脚
Ｌ  共通点
２００  コンデンサバンク
２０２  コンデンサＣ１
２０４  コンデンサＣ２
２０６  コンデンサＣ３
２０８  コンデンサＣ４
２１０  コンデンサＣ５
２１２  コンデンサＣ６
２１４  コンデンサＣ７
２１６  コンデンサＣ８
２１８  コンデンサＣ９
２２０  コンデンサＣ１０
２２２  コンデンサＣ１１
２２４  コンデンサＣ１２
２２６、２２８、２３０、２３２、２３４、２３６  コンデンサブロック
２３８  相互接続プレート
２４０  正端子Ｐ１
２４２  正端子Ｐ２
２４４  正端子Ｐ３
２４６  正端子Ｐ４
２４８  正端子Ｐ５
２５０  正端子Ｐ６
２５２  正端子Ｐ７
２５４  正端子Ｐ８
２５６  正端子Ｐ９
２５８  正端子Ｐ１０
２６０  正端子Ｐ１１
２６２  正端子Ｐ１２
２６４  電源
２６６  負端子Ｎ１
２６８  負端子Ｎ２
２７０  負端子Ｎ３
２７２  負端子Ｎ４
２７４  負端子Ｎ５
２７６  負端子Ｎ６
２７８  負端子Ｎ７
２８０  負端子Ｎ８
２８２  負端子Ｎ９
２８４  負端子Ｎ１０
２８６  負端子Ｎ１１
２８８  負端子Ｎ１２
２９０  取付け脚
３００  コンデンサバンク
３０２  コンデンサＣ１
３０４  コンデンサＣ２
３０６  コンデンサＣ３
３０８  コンデンサＣ４
３１０  コンデンサＣ５
３１２  コンデンサＣ６
３１４  コンデンサＣ７
３１６  コンデンサＣ８
３１８  コンデンサＣ９
３２０  コンデンサＣ１０
３２２  コンデンサＣ１１
３２４  コンデンサＣ１２
３２６、３２８、３３０、３３２、３３４、３３６  コンデンサブロック
Ｏ  共通点
４００  コンデンサバンク
４０２  コンデンサＣ１
４０４  コンデンサＣ２
４０６  コンデンサＣ３
４０８  コンデンサＣ４
４１０  コンデンサＣ５
４１２  コンデンサＣ６
４１４  コンデンサＣ７
４１６  コンデンサＣ８
４１８、４２０、４２２、４２４  コンデンサブロック
４２６  電源
４２８  正端子Ｐ１
４３０  正端子Ｐ２
４３２  正端子Ｐ３
４３４  正端子Ｐ４
４３６  正端子Ｐ５
４３８  正端子Ｐ６
４４０  正端子Ｐ７
４４２  正端子Ｐ８
４４４  負端子Ｎ１
４４６  負端子Ｎ２
４４８  負端子Ｎ３
４５０  負端子Ｎ４
４５２  負端子Ｎ５
４５４  負端子Ｎ６
４５６  負端子Ｎ７
４５８  負端子Ｎ８
４６０  取付け脚
Ｎ  共通点
５００  回路図
５０２  電力変換装置
５０４  コンデンサバンク
６００  方法
６０５、６１０、６１５  ブロック
【図１】
2010035414.tif 000003
【図２】
2010035414.tif 000004
【図３】
2010035414.tif 000005
【図４】
2010035414.tif 000006
【図５】
2010035414.tif 000007
【図６】
2010035414.tif 000008